(57)【特許請求の範囲】
【請求項１】
導体シートと、
端子部と、
絶縁セパレータと軟磁性コアを備え、
前記導体シートと前記絶縁セパレータを重ねて巻き回したコイルを構成し、
前記コイルは、前記軟磁性コアの少なくとも一部に巻き回され、
前記導体シートは、巻き回し方向に対する直角方向の幅が巻き始め端部から巻き終わり端部にかけての全範囲で等しく、
前記導体シートは、前記巻き回し方向に対して直角となる幅方向の全範囲で等しい厚さであり、
少なくとも前記導体シートにおける巻き始め部と巻き終わり部の各々に前記端子部が設けられ、
前記導体シートの巻き回し方向に対する静電容量は、前記導体シートの少なくとも一部において異なることを特徴とするリアクトル。
【請求項２】
前記導体シートの巻き回し方向に対して、前記絶縁セパレータの枚数、誘電率、厚さの少なくとも１つが前記絶縁セパレータの少なくとも一部において異なることを特徴とする請求項１に記載のリアクトル。
【請求項３】
前記導体シートと前記絶縁セパレータを重ねて３回以上巻き回したコイルを構成し、前記導体シートと厚み方向において隣接する他の前記導体シートとの間隔は、前記コイルの少なくとも一部において異なることを特徴とする請求項１に記載のリアクトル。
【請求項４】
さらに、前記端子部の位置に対応した貫通穴が空いている絶縁性の端子位置規制板と、
絶縁性で板状の端子台を備え、
前記コイルにおける巻軸方向端面上に前記端子位置規制板を配し、
前記端子部は、前記貫通穴に挿入され、前記端子台に固定されることで、前記貫通穴と前記端子台により前記端子部の位置が規制されていることを特徴とする請求項１から請求項３のいずれかに記載のリアクトル。
【請求項５】
前記リアクトルのインピーダンスを極大とする共振周波数が、前記リアクトルへ通電する電流の周波数分布の中で最大の成分を持つ信号周波数の２倍以上であることを特徴とする請求項１から請求項４のいずれかに記載のリアクトル。
【請求項６】
前記軟磁性コアがリアクトルのインピーダンスを極大とする共振周波数中心において虚部透磁率を有することを特徴とする請求項５に記載のリアクトル。
【請求項７】
導体シートと、端子部と、絶縁セパレータを有し、前記導体シートと前記絶縁セパレータを重ねて巻き回して構成され、
前記導体シートは、巻き回し方向に対する直角方向の幅が巻き始め端部から巻き終わり端部にかけての全範囲で等しく、
前記導体シートは、前記巻き回し方向に対して直角となる幅方向の全範囲で等しい厚さであり、
少なくとも前記導体シートにおける巻き始め部と巻き終わり部の各々に前記端子部が設けられた複数のコイルと、
軟磁性コアを備え、
前記コイルは前記軟磁性コアを巻き軸とするよう取り付けられ、
前記複数のコイルは、互いの静電容量、インダクタンスのうち、少なくともいずれかが異なることを特徴とするリアクトル。
【発明の詳細な説明】
【技術分野】
【０００１】
本発明は、ノイズフィルタ機能を有するリアクトルに関する。
【背景技術】
【０００２】
コイルを用いた受動素子であるリアクトルは、各種電力機器に様々な形で利用されている。
【０００３】
リアクトルに求められている機能の一つに、電気・電子回路や電源部などの高周波ノイズを低減させる、ノイズフィルタとしての効果がある。
【０００４】
従来のノイズフィルタの一例として、特許文献１には、長手方向を有するシート状の一対の電極を誘電体と絶縁体を介在させ積層して巻回したノイズフィルタであって、長手方向の一方の端部から他方の端部にかけて、インダクタンス成分とキャパシタンス成分と抵抗成分とが連続的に変化するような形状に一対の電極と誘電体と絶縁体とを形成することで、入力端子と出力端子との間のキャパシタンス等を連続的に変化させた分布定数型のノイズフィルタの構成が開示されている。
【先行技術文献】
【特許文献】
【０００５】
【特許文献１】特開２００１−２６７８７１号公報
【発明の概要】
【発明が解決しようとする課題】
【０００６】
特許文献１の構成では、電極の幅を連続して変化させたり、電極に貫通穴を開けたりすることでキャパシタンス等を変化させているが、いずれも電極の電気抵抗が増加するため、ノイズフィルタを通過させるべき電力に大きな損失が生じるという課題がある。
【０００７】
従って本発明の目的は、電力の損失を抑えたノイズフィルタ機能を有するリアクトルを提供することにある。
【課題を解決するための手段】
【０００８】
上記課題を本発明は、導体シートと、端子部と、絶縁セパレータと軟磁性コアを備え、導体シートと絶縁セパレータを重ねて巻き回したコイルを構成し、コイルは、軟磁性コアの少なくとも一部に巻き回され、導体シートは、巻き回し方向に対する直角方向の幅が巻き始め端部から巻き終わり端部の全範囲で等しく、導体シートは、前記巻き回し方向に対して直角となる幅方向の全範囲で等しい厚さであり、少なくとも導体シートにおける巻き始め部と巻き終わり部の各々に端子部が設けられ、導体シートの巻き回し方向に対する静電容量は、導体シートの少なくとも一部において異なるリアクトルにより解決する。
【０００９】
なお、導体シートの巻き回し方向に対して、絶縁セパレータの枚数、誘電率、厚さの少なくとも１つが絶縁セパレータの少なくとも一部において異なってもよい。
【００１０】
また、導体シートと絶縁セパレータを重ねて３回以上巻き回したコイルを構成し、導体シートと厚み方向において隣接する他の導体シートとの間隔は、コイルの少なくとも一部において異なってもよい。
【００１１】
また、さらに端子部の位置に対応した貫通穴が空いている絶縁性の端子位置規制板と、絶縁性で板状の端子台を備え、コイルにおける巻軸方向端面上に端子位置規制板を配し、端子部は、貫通穴に挿入され、端子台に固定されることで、貫通穴と端子台により端子部の位置が規制されていてもよい。
【００１２】
また、リアクトルのインピーダンスを極大とする共振周波数が、リアクトルへ通電する電流の周波数分布の中で最大の成分を持つ信号周波数の２倍以上であってもよい。
【００１３】
また、軟磁性コアがリアクトルのインピーダンスを極大とする共振周波数中心において虚部透磁率μ”を有していてもよい。
【００１４】
また、導体シートと、 端子部と、絶縁セパレータを有し、導体シートと絶縁セパレータを重ねて巻き回して構成され、導体シートは、巻き回し方向に対する直角方向の幅が巻き始め端部から巻き終わり端部にかけての全範囲で等しく、導体シートは、巻き回し方向に対して直角となる幅方向の全範囲で等しい厚さであり、少なくとも前記導体シートにおける巻き始め部と巻き終わり部の各々に端子部が設けられた複数のコイルと、軟磁性コアを備え、コイルは軟磁性コアを巻き軸とするよう取り付けられ、複数のコイルは、互いの静電容量、インダクタンスのうち、少なくともいずれかが異なるリアクトルであってもよい。
【発明の効果】
【００１５】
本発明により、電力の損失を抑えたノイズフィルタ機能を有するリアクトルを提供することが可能となった。
【図面の簡単な説明】
【００１６】
【図１】本発明におけるリアクトルの一例を示す斜視図である。
【図２】本発明におけるリアクトルの一例を示す部分断面図である。
【図３】本発明におけるリアクトルの一例を示す部分断面図である。
【図４】本発明におけるリアクトルの一例を示す部分断面図である。
【図５】本発明におけるリアクトルの一例を示す部分断面図である。
【図６】本発明におけるリアクトルの一例を示す部分断面図である。
【図７】本発明における端子位置規制板を示す上面図である。
【図８】本発明における端子位置規制板を示す上面図である。
【発明を実施するための形態】
【００１７】
本発明は、例えば、導体シートと、端子部と、絶縁セパレータを備え、導体シートと絶縁セパレータを重ねて巻き回したコイルを構成し、導体シートは、巻き回し方向に対する直角方向の幅が全範囲で等しく、導体シートは、巻き回し方向に対して直角となる幅方向の全範囲で等しい厚さであり、少なくとも導体シートにおける巻き始め部と巻き終わり部の各々に端子部が設けられ、導体シートの巻き回し方向に対する静電容量は、導体シートの少なくとも一部において異なるリアクトルの実施形態を取り得る。
【００１８】
コイルにおける導体シートに対して、特許文献１に記載されたような貫通穴を設けずに、巻き始めから巻き終わりまで導体シートの幅寸法を等しくし、導体シートの厚さを幅方向及び巻き回し方向に対して等しくすることで、導体シートの断面積を可能な限り大きく取ることができ、リアクトルへの通電電流に対する直流抵抗を最小限に抑えることができる。
【００１９】
加えて絶縁セパレータの材質及び厚み、若しくは導体シートの層間ギャップなどを巻き回し方向に対して異ならせ、変化させ、不均一とすることで、導体シートの巻き回し方向に対する静電容量を不均一なものとなり、リアクトルのインダクタンスと静電容量によってインピーダンスが極大となる共振周波数に分布を持たせる。
【００２０】
すなわち、共振周波数が単一のものではなく分布を持たせることが可能となるため、除去すべきノイズ信号の周波数帯域に共振周波数の分布を合わせることで、ノイズ信号のみを阻止するリアクトルとすることができる。
【００２１】
なお、導体シートと絶縁セパレータを巻き回す際、本実施形態では絶縁セパレータの枚数、厚さまたは誘電率若しくは導体シートの層間ギャップを変化させ、巻き回し方向に対する導体シート各部の静電容量をあえて不均一なものとしている。このように不均一な構成とすることで、直流抵抗を最小限に抑えつつ、広い周波数帯域でノイズ信号を阻止するリアクトルとすることができる。
【００２２】
例えば、導体シートの静電容量がコイル巻き始め部分で大きく、コイル巻き終わり部分で小さいときには、リアクトルの共振周波数が２つ生じる。この場合、低い方の共振周波数ではコイル巻き始め部分が共振し、高い方の共振周波数ではコイル巻き終わり部分が共振する。
【００２３】
すなわち、本実施形態のリアクトルは、全体として、コイルによるインダクタンスと導体シート層間の静電容量による並列共振回路が直列に接続されている回路とほぼ等価と見なせることから、コイル巻き回し方向に対する静電容量が異なる場合には、複数の共振周波数が存在することとなる。
【００２４】
本発明の実施形態としては、さらに、導体シートの巻き回し方向に対する絶縁セパレータの枚数、誘電率、厚さの少なくとも１つが、前記絶縁セパレータの少なくとも一部において異なるリアクトルであってもよい。
【００２５】
厚さや誘電率が不均一な絶縁セパレータを用いても良いが、他には、例えば、コイル巻き始め、巻き終わり、もしくは巻き回し途中の絶縁セパレータ上へ誘電材料を設けることでも、絶縁セパレータの厚さや誘電率を異ならせ、変化させ、不均一とすることができる。
【００２６】
なお、絶縁セパレータ上へ設ける誘電材料が結合性、粘着性、接着性のいずれかを有していれば、導体シートと絶縁セパレータの間が固定され、コイルの形態を保持することができるため、望ましい。
【００２７】
他に、巻き回し方向の長さが互いに異なる２枚以上の絶縁セパレータを重ね、導体シートと共に巻き回すことでも絶縁セパレータの厚さや誘電率を不均一とすることができる。
【００２８】
この場合、短い方の絶縁セパレータの誘電率や厚さ、巻き回し方向の長さを調整することで、簡単に共振周波数の分布を設定することができる。
【００２９】
本発明の実施形態としては、さらに、導体シートと絶縁セパレータを重ねて３回以上巻き回したコイルを構成し、導体シートと厚み方向において隣接する他の導体シートとの間隔は、コイルの少なくとも一部において異なるリアクトルであってもよい。
【００３０】
例えば、コイルを巻き回す際、導体シートと絶縁セパレータの張力を変化させることで、導体シートの層間ギャップを異ならせ、変化させ、不均一とすることができる。
【００３１】
特に、巻き始めの張力を弱く、巻き回しを進めるにつれて張力を強くしてゆくと、さらに導体シートや絶縁セパレータが巻き始めの固定治具より外れるのを防ぐことも可能となるため、望ましい。この場合、コイル内側における導体シートの層間ギャップが最も広く、コイル外側にゆくに従って導体シートの層間ギャップが狭くなってゆく。なお、導体シートのばね性によって、コイル内側における導体シートの層間ギャップを広げる力が働き、導体シート層間ギャップの不均一さを保持する力として作用する。
【００３２】
他に、コイル巻き始め、巻き終わり、もしくは巻き回し途中の絶縁セパレータ上へ粘着性もしくは接着性を有する誘電材料を設け、さらにコイル巻き始め、もしくは巻き終わりで絶縁セパレータ上へ粘着性もしくは接着性を有する誘電材料を設けずに導体シートと絶縁セパレータの張力を弱くして巻き回すことで、コイル巻き始め、もしくは巻き終わりにおける導体シートの層間ギャップが広がることで導体シート層間ギャップに変化を持たせし、同時にコイルの形態を保持する構成が可能となる。
【００３３】
本実施形態におけるリアクトルは、通電電流の時間平均値が１０Ａを超え、周波数が１０〜３００ｋＨｚの範囲で、通電電流の高調波をノイズとして除去するリアクトルに対して好適に使用することができる。
【００３４】
本発明の実施形態としては、さらに、端子部の位置に対応した貫通穴が空いている絶縁性の端子位置規制板と、絶縁性で板状の端子台を備え、コイルにおける巻軸方向端面上に端子位置規制板を配し、端子部は、貫通穴に挿入され、端子台に固定されることで、貫通穴と端子台により端子部の位置が規制されているリアクトルであってもよい。
【００３５】
コイルより引き回されている端子部は、その根元の位置が端子位置規制板の貫通穴により規制され、その先端の位置が端子台に固定されることとなる。
【００３６】
端子部の位置が規制されることにより、コイルと端子部の位置関係も規制されるため、振動等による端子部の位置変動を抑制することができ、端子部付近の導体シートにおける層間ギャップの変動抑制に繋がる。
【００３７】
従って、端子部の位置を規制することにより、共振周波数の分布変動を抑制することができる。
【００３８】
本発明の実施形態としては、さらに、リアクトルのインピーダンスを極大とする共振周波数が、リアクトルへ通電する電流の周波数分布の中で最大の成分を持つ周波数の２倍以上であるものであってもよい。
【００３９】
上記共振周波数に設定したリアクトルは、伝達信号としての基本周波数成分を通過させ、基本周波数の２倍以上の周波数を持つ高調波成分をノイズ信号として阻止する機能を有する。
【００４０】
なお、本実施形態におけるリアクトルに通電される信号は、昇圧、降圧、変圧を目的とする電力信号及びノイズ除去を目的とする電力信号を含む。
【００４１】
本発明の実施形態としては、さらに、軟磁性コアを備え、コイルは、軟磁性コアの少なくとも一部に巻き回され、軟磁性コアがリアクトルのインピーダンスを極大とする共振周波数中心においてμ”を有するリアクトルであってもよい。
【００４２】
インピーダンスが極大となる共振周波数では、ノイズ信号によりコイル周辺へ交流磁場が生じ、ノイズ信号のエネルギーはコイル周辺の空間の磁気エネルギーとして蓄積される。コイルに近接する軟磁性コアがμ”を有していれば、蓄積された磁気エネルギーを軟磁性コアで熱エネルギーへ変換することができるため、ノイズ信号のエネルギーをリアクトル外部へ漏らさずに熱へと変換することができる。
【００４３】
なお、リアクトルの共振周波数中心と軟磁性コアのμ”が最大となる周波数が近接、もしくは一致していれば、このようなノイズ信号エネルギーの熱への変換がより効果的に行えるため、望ましい。
【００４４】
（実施形態１）
本発明における実施形態の一例について、図面と共に詳細な説明を行う。
【００４５】
図１は、本発明におけるリアクトルの一例を示す斜視図である。
【００４６】
図１におけるリアクトルは、コイル１と、図示されない軟磁性コアと、絶縁性の端子位置規制板２と、絶縁板２０と、板状の端子台３と、外部接続電極３０と、フレーム４１と、蓋４２と、基板や筐体に取り付けるねじ穴を備えた取付部４３により構成されている。
【００４７】
リアクトルの組み立て方法の一例を説明する。
【００４８】
まず、コイル１は図示されない絶縁セパレータと導体シートを重ねて巻き回すことで作成する。導体シートの巻き始めと巻き終わりの端部からは図示されない端子部が引き回されている。
【００４９】
次に、図示されない軟磁性コアはコの字型形状を２つ組み合わせたロの字型であり、一方のコの字型軟磁性コアに２つのコイル１、及び端子位置規制板２、絶縁板２０を取付け、さらに他方のコの字型軟磁性コアを取付けることで、ロの字型軟磁性コアに２つのコイル１が取付けられた構成を組み立てる。
【００５０】
次に、上記組み立て品の軟磁性コア部分を取付部４３の設けられたフレーム４１と、蓋４２により挟み込み固定する。
【００５１】
最後に蓋４２に端子台３を固定し、コイル１より引き回された端子部を端子台３の外部接続電極３０と接続することでリアクトルの組み立てが完了する。
【００５２】
なお、図１におけるリアクトルは２つのコイル１が軟磁性コアに取り付けられた構成となっている。２つのコイル１両端からの端子部はそれぞれ端子台３の外部接続電極３０に接続されるため、４つの外部接続電極３０には２つのコイル１の端子部がそれぞれ接続されていることとなる。
【００５３】
２つのコイル１について、互いの巻き数や絶縁セパレータの材質等を異ならせることで、互いの静電容量、インダクタンスのうち、少なくともいずれかを異ならせ、互いの共振周波数を異ならせるよう設定した上で、２つのコイル１を互いに直列接続するよう構成することで、２つの共振点を有するリアクトルとすることができる。なお、本発明のリアクトルは図１の構成に限られず、コイル１を３つ以上直列接続するよう構成してもよい。
【００５４】
ここで、導体シートと端子部の材質をアルミ、外部接続電極３０の材質を銅で構成する場合は、アルミと銅の接合部を樹脂等で被覆することで、接合部に生じる電位差による腐食を防ぐことができる。
【００５５】
図２は、本発明におけるリアクトルの一例を示す部分断面図である。すなわち図２は、図１におけるａ−ａ’−ａ’’−ａ’’’平面の断面図である。
【００５６】
図２におけるコイルは、軟磁性コア１０に対して絶縁セパレータ１１と導体シート１２が周回するよう巻き回され、構成されている。
【００５７】
導体シート１２は、巻き回し方向、及び巻き回し方向に直角となる幅方向の全範囲で厚さが等しく、貫通穴は空けられていない。また、導体シート１２の幅寸法は、巻き始めから巻き終わりの全範囲で等しい。
【００５８】
ここで、絶縁セパレータの厚さや誘電率、図２の径方向における隣り合う導体シート１２間の層間ギャップが巻き回し方向に対して変化させれば、導体シートの巻き回し方向に対する静電容量は、導体シートの少なくとも一部において不均一とすれば、１つのコイルのみで構成した リアクトルであっても、共振周波数に分布を持たせることが可能となる。
【００５９】
なお、導体シートとしては、銅箔、アルミ箔その他の金属箔が例示されるが、これに限られず巻き回してコイルが形成できるシート状の導体であればこれに含まれる。導体シートとしては、軽さと耐腐食性の面からアルミ箔が望ましく、その厚さは２０〜２００μｍが望ましく、５０μｍ〜１５０μｍがより望ましい。
【００６０】
また、放熱性を高めるため、導体シートの表面積を、断面積が同じ丸線の１０倍以上が望ましく、２０倍以上とするのがより望ましい。
【００６１】
また、コイルは導体シートを巻き回した構成としているため、抵抗損失などによりコイル内部で発熱した場合でも、導体シートの幅方向端部まで熱伝導が起こり、コイルの巻き軸方向端面より放熱することができる。
【００６２】
また、絶縁セパレータとしては、紙、耐熱接着剤を含浸した紙、ＰＥＴ（ポリエチレンテレフタレート）、ＰＥＮ（ポリエチレンナフタレート）、ＰＰ（ポリプロピレン）、ポリアミドイミド等が例示されるが、これに限られない。なお、絶縁セパレータとして耐熱性が必要とされる場合には、ＰＰ（ポリプロピレン）、ポリアミドイミドが望ましい。その厚さは３５〜２００μｍが望ましく、５０μｍ〜１５０μｍがより望ましい。
【００６３】
また、リアクトルへ通電する電流の周波数が１００ｋＨｚ以上であれば、絶縁セパレータの誘電率は、１０以下とすることが望ましい。
【００６４】
軟磁性コアは、コイルが１〜２個であればＵ字型コアを２つ組み合わせて構成でき、コイルが１〜３個であればＥ字型コアを２つ組み合わせて構成できる。軟磁性コアは、アモルファス箔帯の積層、Ｆｅ−Ｓｉ粉末の圧縮等により作成できるがこれに限られない、また、磁気ギャップを一箇所以上設け、インダクタンスを調整してもよい。
【００６５】
（実施形態２）
図３は、本発明におけるリアクトルの一例を示す部分断面図である。すなわち図３は実施形態１における図２の変形例である。
【００６６】
図３におけるコイルは、軟磁性コア１０に対して絶縁セパレータ１１１、１１２、１１３、１１４、１１５と導体シート１２１、１２２、１２３、１２４、が内側より交互に周回するよう巻き回され、構成されている。
【００６７】
さらに、絶縁セパレータ１１２と導体シート１２２が誘電材料１３１、導体シート１２２と絶縁セパレータ１１３が誘電材料１３２、絶縁セパレータ１１３と導体シート１２３が誘電材料１３３、導体シート１２３と絶縁セパレータ１１４が誘電材料１３４によりそれぞれ結合している。
【００６８】
ここで誘電材料１３１、１３２、１３３、１３４は、導体シートもしくは絶縁セパレータ上に、接着剤もしくは粘着材を塗布することにより設けてもよい。
【００６９】
上記構成により、例えば導体シート１２１と導体シート１２２の間に絶縁セパレータ１１２と誘電材料１３１が挟まれているのに対し、導体シート１２２と導体シート１２３の間には絶縁セパレータ１１３と誘電材料１３２、１３３が挟まれているため、導体シート１２１と導体シート１２２の間の静電容量と、導体シート１２２と導体シート１２３の間の静電容量が相違することとなる。
【００７０】
従って、上記実施形態２の構成によってもリアクトルの共振周波数に分布を持たせることが可能となる。
【００７１】
（実施形態３）
図４は、本発明におけるリアクトルの一例を示す部分断面図である。すなわち図４は実施形態１における図２の変形例である。
【００７２】
図４におけるコイルは、軟磁性コア１０に対して絶縁セパレータ１１、１４と導体シート１２が周回するよう巻き回され、構成されている。
【００７３】
絶縁セパレータ１４は、巻き回し２回目途中までの長さしかない。従って、導体シート１２の巻き回し１回目と２回目の間には絶縁セパレータ１１、１４の２層が挟まれているのに対し、巻き回し３回目と４回目及びそれ以降は絶縁セパレータ１１の１層のみが挟まれている。すなわち、導体シート１２の巻き回し１回目と２回目の間の静電容量と巻き回し３回目と４回目及びそれ以降の静電容量が相違する。
【００７４】
従って、上記実施形態３の構成によってもリアクトルの共振周波数に分布を持たせることが可能となる。
【００７５】
（実施形態４）
図５は、本発明におけるリアクトルの一例を示す部分断面図である。すなわち図５は実施形態１における図２の変形例である。
【００７６】
図５におけるコイルは、軟磁性コア１０に対して絶縁セパレータ１１と導体シート１２が周回するよう巻き回され、構成されている。
【００７７】
さらに、図５における導体シート１２の巻き回し１回目と２回目の間の層間ギャップｗ１は、巻き回し３回目と４回目の間の層間ギャップｗ２よりも大きくなるよう構成されている。
【００７８】
上記構成により、導体シート１２１、導体シート１２２の間と導体シート１２２、導体シート１２３の間は、挟まれている絶縁セパレータ１１が１層という点では同じであるが、層間ギャップが異なるため、静電容量が相違することとなる。
【００７９】
従って、上記実施形態３の構成によってもリアクトルの共振周波数に分布を持たせることが可能となる。
【００８０】
なお、層間ギャップを不均一にするには、コイル巻き回し時の絶縁セパレータ１１と導体シート１２の張力を変化させたり、巻き回されたコイルを巻きほどいたりする方法が例示されるが、これに限られない。
【００８１】
（実施形態５）
図６は、本発明におけるリアクトルの一例を示す部分断面図である。すなわち図３は実施形態１における図２の変形例である。
【００８２】
図６におけるコイルは、軟磁性コア１０に対して絶縁セパレータ１１１、１１２、１１３、１１４、１１５と導体シート１２１、１２２、１２３、１２４、が内側より交互に周回するよう巻き回され、構成されている。
【００８３】
実施形態２と同様に誘電材料１３１、１３２、１３３、１３４が設けられているが、さらに、実施形態４と同様の方法で図６における導体シート１２１と導体シート１２２の間の層間ギャップｗ１と、導体シート１２３と導体シート１２４の間の層間ギャップｗ２を相違させている。
【００８４】
導体シート１２１、導体シート１２２の間と、導体シート１２３、導体シート１２４の間は層間ギャップが相違し、挟まれている絶縁セパレータ及び誘電材料の構成も異なる。
【００８５】
特に、誘電材料１３２、１３３により導体シート１２３と導体シート１２４の間が結合しているため、層間ギャップの差は実施形態４の場合よりも大きくなる上、誘電材料も挟み込まれているため、実施形態２や実施形態４の場合よりも静電容量の差は大きなものとなる。
【００８６】
従って、上記実施形態５の構成によってもリアクトルの共振周波数に分布を持たせることが可能となる。
【００８７】
（実施形態６）
図７は、本発明における端子位置規制板を示す上面図である。
【００８８】
端子位置規制板２は、貫通穴２１、２２が空けられている。
【００８９】
コイル内周部１４１から引出された端子部１５１は、端子位置規制板２の貫通穴２１を通過し、端子台３の外部接続電極３０１に接続されている。また、コイル外周部１４２から引出された端子部１５２は、端子位置規制板２の貫通穴２２を通過し、端子台３の外部接続電極３０２に接続されている。
【００９０】
ここで、貫通穴２１は、コイル内周部１４１の中でも外部接続電極３０１に最も近い位置に設けられている。貫通穴２２も同様にコイル外周部１４２の中でも外部接続電極３０２に最も近い位置に設けられている。
【００９１】
このように構成することで、端子部１５１、１５２に対して、外部接続電極３０１、３０２、または貫通穴２１、２２により引っ張られても、主にコイルの径方向に引っ張られた力として作用するため、コイルを巻き締めたり、巻き解いたりする力とはならず、コイル形態の安定性、ひいてはリアクトルの共振周波数分布の変動を抑止することにも繋がる。
【００９２】
（実施形態７）
図８は、本発明における端子位置規制板を示す上面図である。すなわち、図８は図７の変形例である。
【００９３】
実施形態６とは、貫通穴２２の位置が異なっている。
【００９４】
例えば、実施形態５に記載された誘電材料によってコイル外周部１４２付近の導体シートを固定することなどにより、コイル外周部１４２に巻き締める力が作用しても共振周波数分布が変動しない構成になっていれば、右巻きコイルであれば、貫通穴２２を図７よりも左巻き方向にずらしても共振周波数分布に変動はおこらないこととなる。
【００９５】
巻き回し工程で、端子位置にばらつきが生じる場合には、貫通穴２２を、コイル外周部の中でも外部接続電極に最も近接する位置から、コイル巻き回し方向に対する反対方向に向けての長穴とすることで、端子位置にばらつきが生じても共振周波数分布の変動を抑制することができる。
【産業上の利用可能性】
【００９６】
本発明のリアクトルは、軟磁性コアと組み合わせ、ローパスフィルター機能を兼ね備えたコンバーター、インバーターに用いられるリアクトルとして利用できる。
【００９７】
さらにコイルの放熱性が高く、コイルの内部温度が上昇しにくいという側面を持っているため、電力変換用途及び、高周波スイッチングの昇圧、降圧コンバーター内で使用されるリアクトル、大電流インバーターの高調波フィルター、更には電磁調理器などにおける負荷側の電磁誘導コイルとして利用することが可能である。また実効透磁率の高い閉磁路コアと組み合わせることで、より高いインピーダンス値を必要とするコモンモードチョークコイルとしても利用できる。
【符号の説明】
【００９８】
１      コイル
２      端子位置規制板
３      端子台
１０      軟磁性コア
１１、１１１、１１２、１１３、１１４、１１５、１４      絶縁セパレータ
１２、１２１、１２２、１２３、１２４      導体シート
２０      絶縁板
２１、２２      貫通穴
３０、３０１、３０２      外部接続電極
４１      フレーム
４２      蓋
４３      取付部
１３１、１３２、１３３、１３４      誘電材料
１４１      コイル内周部
１４２      コイル外周部
１５１、１５２      端子部
ｗ１、ｗ２      層間ギャップ
【図１】
0006018763.tif 000002
【図２】
0006018763.tif 000003
【図３】
0006018763.tif 000004
【図４】
0006018763.tif 000005
【図５】
0006018763.tif 000006
【図６】
0006018763.tif 000007
【図７】
0006018763.tif 000008
【図８】
0006018763.tif 000009